(57)【要約】【課題】断熱、保温性を向上し、収納に便利な浴槽の蓋。【解決手段】  複数の中空状の断熱ユニット２０及び二つの断熱ユニットを接続する接続シート３０で構成する浴槽の蓋であって、該断熱ユニットの隣接する両端に傾斜辺２２を形成して、二つの断熱ユニットを並列する際、隣接する二つの断熱ユニットの縁間にV字型空間を形成する。該V字型空間の開放端に可撓性材質製接続シートを設けて該V字型空間を閉鎖した空間に構成し、断熱、保温性と折り畳み、巻回可能とする。【選択図】  図３
0003150254.tif 000002
【実用新案登録請求の範囲】
【請求項１】
断熱ユニット、接続シートから構成され、
断熱ユニットはプラスティック製中空体であり、両端に相対する傾斜辺を設けて、二つの断熱ユニットを並列した状態で二つの傾斜辺の傾斜角により隣接して相接する二つの断熱ユニットの縁間にV字型空間を形成し、及び
該形成したV字型空間の開放端に可撓性材質製の接続シートを設置して該V字型空間を閉鎖空間とし、
該浴槽蓋として断熱、保温性を向上すると共に折り畳み、或いは巻回可能としたことを特徴とする浴槽の蓋。
【請求項２】
隣接する二つの断熱ユニットの縁間に形成するV字型空間の開放端に設置する接続シートを押し出し加工法により二つの断熱ユニットと一体成型したことを特徴とする請求項1記載の浴槽の蓋。
【請求項３】
隣接する二つの断熱ユニットの縁間に形成するV字型空間の開放端に設置する接続シート両端に嵌合柱を設け、これに対する断熱ユニットの対応箇所に嵌合溝を設置して、接続シートの両端にある嵌合柱をそれぞれ二つの断熱ユニットの嵌合溝に嵌合して接続シートにより該V字型空間を閉鎖するようにしたことを特徴とする請求項1記載の浴槽の蓋。
【請求項４】
前記断熱ユニットの中空部に中空部を区切る一つ以上の補強片を設けたことを特徴とする請求項1記載の浴槽の蓋。
【請求項５】
前記断熱ユニットの前後端縁に、蓋栓を設置して中空状空間を閉塞したことを特徴とする請求項1記載の浴槽の蓋。
【考案の詳細な説明】
【技術分野】
【０００１】
本考案は、浴槽の蓋の構造に関し、特に浴槽に蓋をして浴槽内のお湯を保温し、冷却する速度を緩和する蓋の構造に関する。
【背景技術】
【０００２】
エネルギーの危機に直面し、世界的に意識されているのは、危機問題を克服すると同時に、積極的に新規なグリーンエネルギーを開発するほか、エネルギーの節約及びエコ商品の開発に力を入れることである。エネルギーを節約する商品・エコ商品は家電に車両、建築物(建築材)など多岐にわたり、多くのメーカーが研究に没頭している。本件では浴槽で使用するお湯のエコ課題について提案する。忙しい現代社会、沐浴の習慣として、大多数の人はシャワーだけでなく、リラックスしたり、血液循環を促進するためにお風呂に入るのが何よりの贅沢である。しかし、用水量を考慮し、通常浴槽、或いは風呂桶などに溜めたお湯を家族全員で入る。また、帰宅の遅い家族のために、お湯を流さない。浴槽のお湯の温度を下げず、次に入る人がお湯を足さず、或いは少量のお湯だけを足すだけでいいように、浴槽の蓋を開発した。蓋を浴槽に被せるだけで、お湯を冷たい空気にさらされることがないため、お湯の放熱速度を緩和し、保温の効果を達成する。図1に示すように、従来技術の浴槽の蓋10の構造は、プラスティックの射出、押出し加工法で中空の断熱ユニット11を形成する。各断熱ユニット11の間を接続シート12で接続することで、蓋状のものを形成する。蓋10を浴槽の上方に被せることで、お湯を保温するエコ目的を達成する。各断熱ユニット11間に接続シート12を設けることで、各断熱ユニットは巻き、或いは折りたたむことができ、比較的小さい体積にして収納することができる。図2に示すように、浴槽蓋10を浴槽の上方に被せることで、中空の断熱ユニット11を断熱層として、熱の放散を阻止し、お湯を保温する目的を達成する。しかし、各断熱ユニット11の間に設置する接続シート12は単層構造であるため、熱は接続シート12を通って放熱し、直ちに冷たい空気に吸収されてしまうため、浴槽蓋10全体の保温効果が下がることを鑑みて、更なる改善が必要であった。
【先行技術文献】
【特許文献】
【０００３】
【特許文献１】特許第２８９３３３８号公報
【特許文献２】特許第３７９３４７６号公報
【考案の概要】
【考案が解決しようとする課題】
【０００４】
前記従来技術の欠点を解決するため、本考案は浴槽の上方に被せ、浴槽内のお湯を保温する蓋の構造を提供することを主な課題とする。
【課題を解決するための手段】
【０００５】
前記課題を解決するため、本考案は複数の中空状断熱ユニットと、二つの断熱ユニットの間を接続する接続シートで構成されている。該断熱ユニットの両側に傾斜辺を具有し、二つの断熱ユニットを並列する際、相隣する二つの断熱ユニットの傾斜辺がV字型を形成する。該V字型空間の開放端に可撓性のある材質で作られた接続シートを設置することで、閉鎖空間を構成する。よって、断熱ユニット及び二つの断熱ユニットの間にあるV字型空間は、中空のデザインで断熱するため、お湯が放熱する速度を遅延すると同時に、可撓性のある接続シートにより、各断熱ユニットを折りたたむ或いは巻く方法で体積を小さく縮小することができる。
【考案の効果】
【０００６】
本考案は断熱ユニットを中空状のものを使用するほか、両端に傾斜辺を形成することで、二つの断熱ユニットの隣接する端がV字型となり、そこに接続シートを押出し加工法で設置すると、該V字型空間も中空状となり、お湯の放熱速度を緩和し、保温の目的に達する。
【図面の簡単な説明】
【０００７】
【図１】従来技術の浴槽蓋の立体構造図である。
【図２】従来技術の浴槽蓋の実施例略図である。
【図３】本考案の立体構造図である。
【図４】本考案の側面分解略図である。
【図５】本考案の側面組立略図である。
【図６】本考案を浴槽に被せた実施例略図である。
【図７】本考案を折りたたむ実施例略図である。
【考案を実施するための形態】
【実施例】
【０００８】
本考案の構造を明確に示すために図に沿って詳細な説明を行う。図3、図4、図5に示すように、本考案の浴槽蓋は若干の中空状の断熱ユニット20及び二つの断熱ユニット2の間を接続する接続シート30で構成している。該断熱ユニット20はプラスティックの射出(押し出し)製法で作られた中空体であり、断熱ユニット20が適切な強度を具有するために、断熱ユニット20内部に一つ或いはそれ以上の補強片21を設ける。断熱ユニット20の両サイドを傾斜辺22にすることにより、二つの断熱ユニット20展開した状態で二つの傾斜辺22の傾斜角度が互いに対応し、相隣する両サイドの頂部及び底部が互いに抵触する。また、断熱ユニット20端の傾斜辺22のデザインにより、相隣する二つの断熱ユニット20の縁がV字型空間23を形成し、該V字型空間23の開放端に可撓性のある材質で作った接続シート30を設置することで、閉鎖した空間を構成する。更に、各断熱ユニット20の前後縁に蓋栓24を設置することで、全体的な美観性を高めることができる。
【０００９】
該V字型空間23の開放端に設置する接続シート30は押出し加工により、接続シート30と二つの断熱ユニット20を一体化して形成する。或いは、接続シート30の両端に嵌合柱31、対応する断熱ユニット20に嵌合溝25を設けることにより接続シート30の両端にある嵌合柱31をそれぞれ二つの断熱ユニット20の嵌合溝25に嵌合して、同様にV字型空間23を閉鎖することができる。該接続シート30と二つの断熱ユニット20の接続関係は共に、押出し加工によって一体化形状を成す、或いは嵌合柱31と嵌合溝26の嵌合関係により接続することができる。
【００１０】
上述の構造により本考案の複数の中空状の断熱ユニット20を並列にして設置し、二つの断熱ユニット20間はV字型空間23を呈す。該V字型空間23の開放端に接続シート30を設けることで、該空間は閉鎖して浴槽蓋を形成する。図6に示すように、該浴槽蓋を浴槽の上方に被せることで、お湯を外界の冷たい空気と隔離するため、お湯の放熱速度を緩和し、保温の目的に達する。特に断熱ユニット20は中空の板を使用した断熱方法であるため、液体温度の放熱速度を緩和することができる。断熱ユニット20の端に傾斜辺22を設けることで、二つの断熱ユニット20間はV字型空間23を形成する。接続シート30を該V字型空間23の開放端に設置することによりV字型空間23を閉鎖するだけでなく、二つの断熱ユニット20の間に中空の断熱室を形成するため、液体温度の放熱速度を緩和するほか、該接続シート23は可撓性に富んだ材質であるため、各断熱ユニット20は折りたたむ或いは巻くなど、体積を縮小して収納することができる(図7を参照)。
【００１１】
本考案の接続シート30は共に押出し加工法で作成し、及び嵌合柱31と嵌合溝25を嵌合する構造を交互に設置して実施しているが、いずれも実施方法の一つであり、それにより本考案の範囲を制限するものではない。本技術に熟知する者が、本考案の範囲内にて行う変更や調整を行っても、本考案の重要な意義は失われず、本考案の範囲に含まれる。
【符号の説明】
【００１２】
20  断熱ユニット
21  補強片
22  傾斜辺
23  V字型空間
24  蓋栓
25  嵌合溝
30  接続シート
31  嵌合柱
【図１】
0003150254.tif 000003
【図２】
0003150254.tif 000004
【図３】
0003150254.tif 000005
【図４】
0003150254.tif 000006
【図５】
0003150254.tif 000007
【図６】
0003150254.tif 000008
【図７】
0003150254.tif 000009